(57)【要約】【課題】ソケットとプラグの接続解除作業を容易に行うことができるとともに、使用中の不慮の接続解除を確実に防止することのできる管継手を提供する。【解決手段】ソケット１０内の流体の圧力によって係止ピン１５を突出させることにより、ロックスリーブ１４を係止ピン１５に係止させて軸方向の移動を規制するようにしたので、ロックスリーブ１４が外部との接触や振動等により軸方向に移動することがなく、使用中の不慮の接続解除を確実に防止することができる。また、流体の流通が停止し、ソケット１０内の流体の圧力が低下すると、係止ピン１５が没入してロックスリーブ１４が軸方向に移動可能となるので、従来のようにロックスリーブを回動して係止ピンとロックスリーブの溝とを目視により位置合わせする作業を必要とせず、暗い場所や配管が複雑に配置された場所においても、ソケット１０とプラグ２０との接続解除作業を容易に行うことができる。【選択図】図５
2009287612.tif 000002
【特許請求の範囲】
【請求項１】
一方の配管に接続されるソケットと、他方の配管に接続されるプラグと、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を可能にするロックスリーブとを備えた管継手において、
前記ソケットに所定方向に出没自在に設けられ、内部流体の圧力によって突出することにより、ロックスリーブに係止してロックスリーブの軸方向の移動を規制する係止部材を備えた
ことを特徴とする管継手。
【請求項２】
前記係止部材を没入方向に付勢する付勢手段を備えた
ことを特徴とする請求項１記載の管継手。
【発明の詳細な説明】
【技術分野】
【０００１】
本発明は、例えば油圧装置等に用いられる高圧配管を接続するための管継手に関するものである。
【背景技術】
【０００２】
従来、この種の管継手としては、一方の配管に接続されるソケットと、他方の配管に接続されるプラグと、ソケット内に軸方向に移動自在に設けられ、スプリングによってソケット側の弁座に圧接することによりソケット側の流路を閉鎖するソケット側弁体と、プラグ内に軸方向に移動自在に設けられ、スプリングによってプラグ側の弁座に圧接することによりプラグ側の流路を閉鎖するプラグ側弁体と、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を許容するロックスリーブとを備えたものが知られている（例えば、特許文献１参照。）。
【０００３】
この管継手では、ロックスリーブを軸方向他方に移動してプラグをソケットに挿入すると、各弁体が先端同士を当接させながらそれぞれ弁座から後退し、各弁体が開放されてソケットとプラグの流路が互いに連通するようになっている。また、プラグをソケットに挿入すると、各ボールがプラグの係合部に係合し、ロックスリーブを軸方向一方に移動すると、各ボールの径方向外側（係合解除方向）への移動が規制され、ソケットとプラグとが互いに結合状態でロックされるようになっている。
【０００４】
ところで、前記管継手においては、ロックスリーブを軸方向一方に移動することにより、各ボールがロックスリーブによって係合解除方向への移動を規制されるようになっているが、ロックスリーブが外部との接触や振動等により軸方向他方に移動し、ソケットとプラグとの接続が解除されるおそれがある。そこで、ソケットの外周面にロックスリーブに軸方向に係止可能なピンを設け、ピンとの係止によりロックスリーブの軸方向他方への移動を規制するとともに、ロックスリーブの周方向所定位置にピンを受容可能な溝を設け、ソケットとプラグとの接続を解除する場合は、ロックスリーブを回動してピンの位置に溝を合わせることにより、ロックスリーブの軸方向他方への移動を許容するようにしたものが知られている（例えば、特許文献２参照。）。
【特許文献１】特開２００３−２０２０９６号公報
【特許文献２】特開平８−１７８１５９号公報
【発明の開示】
【発明が解決しようとする課題】
【０００５】
しかしながら、前記管継手では、ソケットとプラグとの接続を解除する際、ロックスリーブの溝を目視によりピンに位置合わせする必要があるため、暗い場所や配管が複雑に配置された場所では、ロックスリーブの回動操作による位置合わせが困難になり、ソケットとプラグとの接続解除作業を容易に行うことができないという問題点があった。
【０００６】
本発明は前記問題点に鑑みてなされたものであり、その目的とするところは、ソケットとプラグの接続解除作業を容易に行うことができるとともに、使用中の不慮の接続解除を確実に防止することのできる管継手を提供することにある。
【課題を解決するための手段】
【０００７】
本発明は前記目的を達成するために、一方の配管に接続されるソケットと、他方の配管に接続されるプラグと、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を可能にするロックスリーブとを備えた管継手において、前記ソケットに所定方向に出没自在に設けられ、内部流体の圧力によって突出することにより、ロックスリーブに係止してロックスリーブの軸方向の移動を規制する係止部材を備えている。
【０００８】
これにより、ソケット内の流体の圧力によって係止ピンが突出すると、ロックスリーブが係止部材に係止して軸方向の移動を規制されることから、使用中にロックスリーブが外部との接触や振動等により軸方向に移動することがない。また、流体の流通が停止し、ソケット内の流体の圧力が低下すると、係止ピンが没入してロックスリーブが軸方向に移動可能となる。
【発明の効果】
【０００９】
本発明によれば、使用中にロックスリーブが外部との接触や振動等により軸方向に移動することがないので、不慮の接続解除を確実に防止することができる。また、流体の流通が停止し、ソケット内の流体の圧力が低下すると、係止ピンが没入してロックスリーブが軸方向に移動可能になるので、従来のようにロックスリーブを回動して係止ピンとロックスリーブの溝とを目視により位置合わせする作業を必要とせず、暗い場所や配管が複雑に配置された場所においても、ソケットとプラグとの接続解除作業を容易に行うことができる。
【発明を実施するための最良の形態】
【００１０】
図１乃至図５は本発明の一実施形態を示すもので、図１は管継手の一部断面側面図、図２はソケットの一部断面側面図、図３はプラグの一部断面側面図、図４はソケットの要部拡大側面断面図、図５は管継手の動作を示す部分側面断面図である。
【００１１】
この管継手は、図示しない一方の配管に接続されるソケット１０と、図示しない他方の配管に接続されるプラグ２０とからなり、ソケット１０とプラグ２０を結合することにより、ソケット１０側の流路１０ａとプラグ２０側の流路２０ａとを連通するようになっている。
【００１２】
ソケット１０は、内部に流路１０ａを有するソケット本体１１と、ソケット本体１１の流路１０ａを開閉する弁体１２と、ソケット本体１１に径方向に移動自在に設けられた複数のボール１３と、各ボール１３の径方向の移動を規制するロックスリーブ１４と、ロックスリーブ１４の軸方向の移動を規制する係止部材としての係止ピン１５とから構成されている。
【００１３】
ソケット本体１１は、軸方向一端側にプラグ２０を挿入可能に形成され、その軸方向一端側の内周面には弁体１２が軸方向に当接するテーパ状の弁座１１ａが設けられている。ソケット本体１１の軸方向他端側には配管接続部１１ｂが設けられ、配管接続部１１ｂはソケット本体１１の内周面に形成されるネジ部（図示省略）からなる。ソケット本体１１の軸方向一端側には各ボール１３を径方向に移動自在に保持する複数の保持孔１１ｃが互いに周方向に間隔をおいて設けられ、各保持孔１１ｃはソケット本体１１を径方向に貫通するように形成されている。また、ソケット本体１１の軸方向一端側の内周面には環状のゴムからなるシール材１１ｄが設けられ、シール材１１ｄによってソケット本体１１とプラグ２０との間が密閉されるようになっている。
【００１４】
弁体１２はソケット本体１１内にガイド部材１２ａを介して軸方向に移動自在に保持され、その先端側をソケット本体１１の弁座１１ａに当接させるようになっている。弁体１２は、弁座１１ａとの当接面をテーパ状に形成され、その先端側には軸方向に突出する突部１２ｂが設けられている。ガイド部材１２ａはソケット本体１１の内周面に固定されるとともに、その周方向一部を軸方向に開口することにより流体を流通可能に形成されている。ガイド部材１２ａには弁体１２を弁座１１ａ側に押圧するスプリング１２ｃが取付けられ、スプリング１２ｃによって弁体１２を弁座１１ａに圧接させることにより、ソケット側流路１０ａが閉鎖されるようになっている。
【００１５】
各ボール１３はそれぞれソケット本体１１の各保持孔１１ｃに径方向に移動自在に保持され、その一部を保持孔１１ｃの外側または内側に突出させるようになっている。
【００１６】
ロックスリーブ１４はソケット本体１１の外周面側に軸方向に移動自在に設けられた円筒状の部材からなり、その外周面には滑り止めのローレット加工が施されている。ロックスリーブ１４の内周面には各ボール１３に径方向に当接可能な環状の当接部１４ａが突設され、当接部１４ａの軸方向一端面はテーパ状に形成されている。ロックスリーブ１４はスプリング１４ｂによって軸方向一方に付勢されており、ロックスリーブ１４が軸方向一方に移動すると、当接部１４ａが各ボール１３に当接し、各ボール１３の一部がソケット本体１１の内周面から径方向内側に突出して各ボール１３の径方向外側への移動が規制されるようになっている。また、ロックスリーブ１４を軸方向他方に移動すると、当接部１４ａと各ボール１３との当接が解除され、各ボール１３が径方向外側に移動可能になる。
【００１７】
係止ピン１５は、ソケット本体１１の外周面に出没自在に設けられ、ソケット本体１１内の流体の圧力によってソケット本体１１の外側に突出するようになっている。係止ピン１５はソケット本体１１に設けた孔１１ｅにソケット本体１１の径方向に移動自在に設けられ、図４(a) に示すようにスプリング１６によって孔１１ｅの底面側に付勢されている。ソケット本体１１には孔１１ｅの底面と流路１０ａとを連通する連通路１１ｆが設けられ、流路１０ａ内の流体の圧力が連通路１１ｆを介して孔１１ｅ内に加わると、図４(b) に示すように係止ピン１５がスプリング１６に抗してソケット本体１１の外側に突出するようになっている。この場合、スプリング１６は使用時の内部流体の圧力よりも小さい付勢力で係止ピン１５を付勢しており、内部流体の圧力が所定圧力（例えば０．５ＭＰａ）以下になると、係止ピン１５がスプリング１６によって孔１１ｅ内に没入するようになっている。孔１１ｅの内周面には固定リング１７が取付けられ、係止ピン１５に設けた第１のフランジ１５ａに一端側を係止するスプリング１６がスペーサリング１８を介して固定リング１７に他端側を係止している。また、係止ピン１５に設けた第２のフランジ１５ｂと第１のフランジ１５ａとの間には環状のゴムからなるシール材１９及びバックアップリング１９ａが設けられ、シール材１９によって孔１１ｅの内周面と係止ピン１５との間が密閉されるようになっている。
【００１８】
プラグ２０は、内部に流路２０ａを有するプラグ本体２１と、プラグ本体２１内の流路２０ａを開閉する弁体２２とから構成されている。
【００１９】
プラグ本体２１は、軸方向一端側をソケット本体１１の軸方向一端側に挿入可能に形成され、その軸方向一端側の内周面には弁体２２が軸方向に当接するテーパ状の弁座２１ａが設けられている。プラグ本体２１の軸方向他端側には配管接続部２１ｂが設けられ、配管接続部２１ｂはプラグ本体２１の内周面に形成されるネジ部（図示省略）からなる。また、プラグ本体２１の外周面には、各ボール１３が係合する凹状の係合部２１ｃが周方向に連続して設けられている。
【００２０】
弁体２２はプラグ本体２１内にガイド部材２２ａを介して軸方向に移動自在に保持され、その先端側をプラグ本体２１の弁座２１ａに当接させるようになっている。弁体２２は、弁座２１ａとの当接面をテーパ状に形成され、その先端側には軸方向に突出する突部２２ｂが設けられている。ガイド部材２２ａはプラグ本体２１の内周面に固定されるとともに、ソケット１０のガイド部材１２ａと同様、その周方向一部を軸方向に開口することにより流体を流通可能に形成されている。また、ガイド部材２２ａには弁体２２を弁座２１ａ側に押圧するスプリング２２ｃが取付けられ、スプリング２２ｃによって弁体２２を弁座２１ａに圧接させることにより、プラグ側流路２０ａが閉鎖されるようになっている。
【００２１】
以上のように構成された管継手においては、ロックスリーブ１４を軸方向一方から他方に移動してプラグ２０をソケット１０に挿入すると、各弁体１２，２２が互いに先端の突部１２ｂ，２２ｂを当接させながらそれぞれ弁座１１ａ，２１ａから後退し、各弁体１２，２２が開放されてソケット１０とプラグ２０の流路１０ａ，２０ａが互いに連通する。また、プラグ２０をソケット１０に挿入すると、各ボール１３がプラグ２０の係合部２１ｃに係合し、ロックスリーブ１４を軸方向他方から一方に移動することにより、ロックスリーブ１４の当接部１４ａによって各ボール１３の径方向外側（係合解除方向）への移動が規制され、ソケット１０とプラグ２０とが互いに結合状態でロックされる。ここで、使用時にソケット１０内に内部流体の圧力が加わると、図５(a) に示すように係止ピン１５がソケット本体１１の外側に突出する。これにより、ロックスリーブ１４が外部との接触や振動等により軸方向他方に移動しようとした場合でも、ロックスリーブ１４が係止ピン１５に係止して軸方向他方への移動を規制されることから、使用中にソケット１０とプラグ２０との接続が解除されることがない。また、流体の流通が停止し、ソケット１０内の流体の圧力がスプリング１６の付勢力よりも低下すると、図５(b) に示すように係止ピン１５が孔１１ｅ内に没入し、ロックスリーブ１４が軸方向他方に移動可能になる。これにより、図５(c) に示すようにロックスリーブ１４を操作して軸方向他方に移動させることにより、ソケット１０とプラグ２０との接続が解除される。
【００２２】
このように、本実施形態によれば、ソケット本体１１の外周面にロックスリーブ１４の軸方向の移動を規制可能な係止ピン１５を出没自在に設け、ソケット１０内の流体の圧力によって係止ピン１５を突出させることにより、ロックスリーブ１４を係止ピン１５に係止させて軸方向の移動を規制するようにしたので、ロックスリーブ１４が外部との接触や振動等により軸方向に移動することがなく、使用中の不慮の接続解除を確実に防止することができる。また、流体の流通が停止し、ソケット１０内の流体の圧力が低下すると、係止ピン１５が没入してロックスリーブ１４が軸方向に移動可能となるので、従来のようにロックスリーブを回動して係止ピンとロックスリーブの溝とを目視により位置合わせする作業を必要とせず、暗い場所や配管が複雑に配置された場所においても、ソケット１０とプラグ２０との接続解除作業を容易に行うことができる。
【００２３】
更に、係止ピン１５を没入方向に付勢するスプリング１６を備えているので、流体の流通が停止した後に微少な残圧（例えば０．２ＭＰａ程度）が生じていても、係止ピン１５をスプリング１６によって確実に没入させることができ、ソケット１０とプラグ２０との接続解除作業を常に良好に行うことができる。
【図面の簡単な説明】
【００２４】
【図１】本発明の一実施形態を示す管継手の一部断面側面図
【図２】ソケットの一部断面側面図
【図３】プラグの一部断面側面図
【図４】ソケットの要部拡大側面断面図
【図５】管継手の動作を示す部分側面断面図
【符号の説明】
【００２５】
１０…ソケット、１１…ソケット本体、１３…ボール、１４…ロックスリーブ、１５…係止ピン、１６…スプリング、２０…プラグ。
【図１】
2009287612.tif 000003
【図２】
2009287612.tif 000004
【図３】
2009287612.tif 000005
【図４】
2009287612.tif 000006
【図５】
2009287612.tif 000007